(57)【要約】【課題】内視鏡洗浄消毒装置から漏れる過酢酸の臭気を少なくする。【解決手段】過酢酸からなる消毒液８１が貯えられている消毒液タンク８２と、分解液タンク９３とを分解液供給路９１により接続する。分解液タンク９３には、過酢酸を分解する分解する分解液９２が貯えられている。消毒液タンク８２から消毒液８１を排出する際に電磁弁９４を開放し、消毒液タンク８２内に分解液９２を供給する。消毒液タンク８２内の消毒液８１は、分解液９２により分解されるので、排出時の臭気が少なくなる。排出した消毒液８１による環境負荷も小さくなる。【選択図】図４
2009207740.tif 000002
【特許請求の範囲】
【請求項１】
内視鏡が収容された洗浄槽に過酢酸を供給して前記内視鏡を消毒する内視鏡洗浄消毒装置において、
前記過酢酸を分解する分解液が貯えられた分解液貯留手段と、
前記分解液貯留手段と、前記洗浄槽を含む装置本体内の所定部位、または前記装置本体外とを接続し、前記分解液貯留手段から前記分解液が流される分解液供給路と、
前記分解液貯留手段から前記分解液供給路に前記分解液を流す分解液供給手段と、
前記分解液供給手段を作動させ、前記装置本体内の所定部位、または前記装置本体外に前記分解液を供給させる分解液供給制御手段とを備えたことを特徴とする内視鏡洗浄消毒装置。
【請求項２】
前記分解液供給路は、前記分解液貯留手段と、前記過酢酸が貯えられている消毒液タンクとを接続し、
前記分解液供給制御手段は、前記消毒液タンクから前記過酢酸が排出される際に前記分解液供給手段を作動させ、前記分解液供給路から前記消毒液タンク内に前記分解液を供給させることを特徴とする請求項１記載の内視鏡洗浄消毒装置。
【請求項３】
前記分解液供給路は、前記分解液貯留手段と、前記装置本体にセットされる過酢酸供給ボトルとを接続し、
前記分解液供給制御手段は、前記過酢酸供給ボトル内の前記過酢酸が消毒液タンクに供給された後に前記分解液供給手段を作動させ、前記分解液供給路から前記過酢酸供給ボトル内に前記分解液を供給させることを特徴とする請求項１記載の内視鏡洗浄消毒装置。
【請求項４】
前記分解液供給路は、前記分解液貯留手段と、前記洗浄槽に水を供給する給水路とを接続し、
前記分解液供給制御手段は、前記給水路の消毒後に前記分解液供給手段を作動させ、前記分解液供給路から前記給水路内に前記分解液を供給させることを特徴とする請求項１記載の内視鏡洗浄消毒装置。
【請求項５】
前記分解液供給手段は、前記分解液を霧状にして噴出させる噴霧器であることを特徴とする請求項１記載の内視鏡洗浄消毒装置。
【請求項６】
前記噴霧器は、前記洗浄槽内に前記分解液を噴出することを特徴とする請求項５記載の内視鏡洗浄消毒装置。
【請求項７】
前記噴霧器は、前記装置本体の筐体内に前記分解液を噴出することを特徴とする請求項５記載の内視鏡洗浄消毒装置。
【請求項８】
前記分解液貯留手段は、前記分解液を貯えるタンクであることを特徴とする請求項１〜７いずれか記載の内視鏡洗浄消毒装置。
【請求項９】
前記分解液は、前記過酢酸を分解する分解酵素、または前記内視鏡の洗浄に用いられるアルカリ系洗剤であることを特徴とする請求項１〜８いずれか記載の内視鏡洗浄消毒装置。
【請求項１０】
内視鏡が収容された洗浄槽に過酢酸を供給して前記内視鏡を消毒する内視鏡洗浄消毒装置の消臭方法において、
前記洗浄槽を含む装置本体内の所定部位、または前記装置本体外に前記過酢酸を分解する分解液を供給し、前記過酢酸の臭気を消臭することを特徴とする内視鏡洗浄消毒装置の消臭方法。
【請求項１１】
前記過酢酸が貯えられている消毒液タンクから前記過酢酸を排出する際に、前記消毒液タンク内に前記分解液が供給されることを特徴とする請求項１０記載の内視鏡洗浄装置の消臭方法。
【請求項１２】
前記装置本体にセットされた過酢酸供給ボトルから消毒液タンク内に前記過酢酸が供給された後に、前記過酢酸供給ボトル内に前記分解液が供給されることを特徴とする請求項１０記載の内視鏡洗浄消毒装置の消臭方法。
【請求項１３】
前記洗浄槽に水を供給する給水路の消毒後に、前記給水路内に前記分解液が供給されることを特徴とする請求項１０記載の内視鏡洗浄装置の消臭方法。
【請求項１４】
前記分解液は、霧状にして噴出されることを特徴とする請求項１０記載の内視鏡洗浄消毒装置の消臭方法。
【請求項１５】
前記霧状の分解液は、前記洗浄槽内に噴出されることを特徴とする請求項１４記載の内視鏡洗浄消毒装置の消臭方法。
【請求項１６】
前記霧状の分解液は、前記装置本体の筐体内に噴出されることを特徴とする請求項１４記載の内視鏡洗浄消毒装置の消臭方法。
【請求項１７】
前記分解液は、前記過酢酸を分解する分解酵素、または前記内視鏡の洗浄に用いられるアルカリ系洗剤であることを特徴とする請求項１０〜１６いずれか記載の内視鏡洗浄消毒装置の消臭方法。
【発明の詳細な説明】
【技術分野】
【０００１】
本発明は、内視鏡の消毒に過酢酸を用いる内視鏡洗浄消毒装置と、内視鏡洗浄消毒装置から漏れる過酢酸の臭気を消臭する方法とに関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。使用後の内視鏡は、挿入部の外表面と各チャンネル内に体液や汚物が付着している。体液や汚物に含まれる病原菌やウイルスは院内感染の原因となるので、使用後の内視鏡は、必ず洗浄、消毒されている。
【０００３】
内視鏡の洗浄、消毒を効率的に行うため、内視鏡洗浄消毒装置が利用されている。内視鏡洗浄消毒装置は、使用後の内視鏡を洗浄槽に収容し、洗浄工程、消毒工程等の各種工程を自動的に行う。洗浄工程は、内視鏡に水、洗剤等を噴射して外表面及び各チャンネル内に付着した体液や汚物を洗い流す。洗浄工程で使用された水は、内視鏡洗浄消毒装置の外に排出される。消毒工程は、消毒液中に内視鏡を浸漬させ、洗浄工程で除去されなかった病原菌やウイルスを除去し、または病原性を消失させる。消毒工程で使用された消毒液は、消毒液が貯えられている消毒液タンクに戻される。
【０００４】
消毒液には、例えば、グルタールアルデヒト、オフトフタルアルデヒト、過酢酸等の高水準消毒剤が用いられている。グルタールアルデヒトは、内視鏡洗浄消毒装置での使用実績が最も長く、運用方法も確立されている。しかし、グルタールアルデヒトには、揮発性が高く揮発成分が人体に有害であること、耐性菌が存在すること、消毒時間が長いこと等の欠点がある。そのため、現在ではグルタールアルデヒトから、オフトフタルアルデヒトや過酢酸への切り換えが進んでいる。特に過酢酸は、消毒効果が最も高く、人体への悪影響も少ないという優れた性質をもっている。
【０００５】
過酢酸は、濃縮状態で専用の過酢酸供給ボトルに収容し、供給されている。内視鏡洗浄消毒装置には、過酢酸供給ボトルがセットされるボトル収納トレイが設けられている。ボトル収納トレイにセットされた過酢酸供給ボトルは、消毒液タンクに連通された消毒液注入路に接続される。過酢酸供給ボトル内の濃縮過酢酸は、消毒液注入路を通って消毒液タンク内に供給される。
【０００６】
過酢酸には、非常に強い臭気があり、内視鏡の洗浄、消毒の作業環境が悪化するという問題がある。従来の内視鏡洗浄消毒装置は、消毒液タンクの通気孔に活性炭フィルタを取り付け、過酢酸の臭気成分を吸着、消臭している（例えば、特許文献１、２参照）。また、内視鏡洗浄消毒装置の周辺から過酢酸の臭気を無くすため、内視鏡洗浄消毒装置が設置された部屋に換気設備を設けている。過酢酸の臭気は空気よりも重く、床の近くに滞留するため、床付近の換気を行う特殊な換気設備が必要である。
【特許文献１】特開２００７−２６７９７４号公報
【特許文献２】特開平１１−１８８０８７号公報
【発明の開示】
【発明が解決しようとする課題】
【０００７】
過酢酸の臭気は非常に強いので、活性炭フィルタで完全に消臭することは難しい。また、活性炭は、臭気成分の吸着力が低下するのが早いので、定期的に活性炭フィルタを交換しなければならない。
【０００８】
内視鏡洗浄消毒装置から過酢酸の臭気が漏れるのは、消毒液タンクの通気孔からだけではない。例えば、消毒効果の消失した消毒液を消毒液タンクから排出する際にも過酢酸の臭気が外部に漏れる。また、過酢酸供給ボトル内にわずかに残った過酢酸の臭気も装置外に漏れてしまう。特に、ボトル収納トレイから過酢酸供給ボトルを取り外すときに臭気が強くなる。更に、内視鏡の洗浄に用いる水を洗浄槽に供給する給水路は、ウォータフィルタが交換されたときに消毒されるが、給水路に残った過酢酸の臭気が装置の外に漏れてしまう。
【０００９】
換気口、換気扇等の換気設備は、室内の高い位置に設置されているのが一般的である。そのため、過酢酸の臭気に対応する特殊な換気設備は、設備費が高額になる。
【００１０】
本発明の目的は、内視鏡洗浄消毒装置から漏れる過酢酸の臭気を少なくすることにある。
【課題を解決するための手段】
【００１１】
本発明の内視鏡洗浄消毒装置は、過酢酸を分解する分解液を分解液貯留手段に貯えている。分解液貯留手段と、洗浄槽を含む装置本体の内部、または装置本体の外部とを分解液供給路で接続し、分解液供給手段によって、分解液貯留手段から分解液供給路に分解液が流れるようにしている。分解液供給手段は、分解液供給制御手段の制御により作動させ、分解液供給路から装置本体内、または装置本体外に分解液を供給している。
【００１２】
分解液供給路は、分解液貯留手段と、過酢酸が貯えられている消毒液タンクとを接続している。分解液供給制御手段は、消毒液タンクから過酢酸が排出される際に分解液供給手段を作動させ、分解液供給路から消毒液タンク内に分解液を供給させている。
【００１３】
別の分解液供給路は、分解液貯留手段と、装置本体にセットされる過酢酸供給ボトルとを接続している。分解液供給制御手段は、過酢酸供給ボトルから消毒液タンクに過酢酸が供給された後に分解液供給手段を作動させ、分解液供給路から給水路内に分解液を供給させている。
【００１４】
更に別の分解液供給路は、分解液貯留手段と、洗浄槽に水を供給する給水路との間を接続している。分解液供給制御手段は、給水路の消毒後に分解液供給手段を作動させ、分解液供給路から給水路内に分解液を供給している。
【００１５】
分解液供給手段として、分解液を霧状にして装置本体内、または装置本体外に噴出させる噴霧器を用いてもよい。霧状の分解液を装置本体内に噴出する場合には、洗浄槽内、または装置本体の筐体内に噴出させるのが好ましい。
【００１６】
分解液貯留手段として、分解液を貯えるタンクを用いることが好ましい。
【００１７】
本発明の内視鏡洗浄消毒装置の消臭方法は、洗浄槽を含む装置本体の内部、または装置本体の外部に、過酢酸を分解する分解液を供給して過酢酸の臭気を消臭している。
【００１８】
分解液は、過酢酸が貯えられている消毒液タンクから過酢酸を排出する際に、消毒液タンク内に供給することが好ましい。
【００１９】
また、装置本体にセットされた過酢酸供給ボトルから消毒液タンク内に過酢酸が供給された後に、過酢酸供給ボトル内に分解液を供給してもよい。
【００２０】
更には、洗浄槽に水を供給する給水路の消毒後に、給水路内に分解液を供給してもよい。
【００２１】
分解液は、霧状にして装置本体内、または装置本体外に噴出してもよい。装置本体内に噴出する場合には、洗浄槽内または装置本体の筐体内に噴出するのが好ましい。
【００２２】
本発明の内視鏡洗浄消毒装置、及び消臭方法に共通する事項として、分解液には、過酢酸を分解する分解酵素、または内視鏡の洗浄に用いられるアルカリ系洗剤等を用いている。
【発明の効果】
【００２３】
本発明によれば、内視鏡洗浄消毒装置の装置本体内、または装置本体外に分解液を供給して過酢酸の臭気を消臭するので、過酢酸の臭気による作業環境の悪化を防止することができる。
【００２４】
消毒液タンクから排出する過酢酸を分解するので、排出時の臭気を少なくし、環境負荷を小さくすることができる。過酢酸供給ボトルや、消毒後の給水路等に残った過酢酸を分解することもできるので、更に臭気を少なくすることができる。
【００２５】
分解液を霧状にして噴出することもできるので、装置本体内、または装置本体外、あるいは洗浄槽内等から、過酢酸の臭気成分を効果的に分解して消臭することができる。
【００２６】
分解液貯留手段として、タンクを用いているので、使用時に分解液を供給する面倒がない。また、分解液として、過酢酸を分解する分解酵素を用いたので、過酢酸を効果的に分解し、消臭することができる。また、内視鏡の洗浄に用いるアルカリ系洗剤を用いる場合には、コストダウンが可能である。
【発明を実施するための最良の形態】
【００２７】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００２８】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００２９】
操作部１２には、鉗子口２０、送気・送水ボタン２１、吸引ボタン２２が設けられている。鉗子口２０には、使用時に取り外される鉗子口キャップ２３が嵌合されている。送気・送水ボタン２１及び吸引ボタン２２は、装着口１２ａ，１２ｂに着脱自在に取り付けられている。鉗子口キャップ２３、送気・送水ボタン２１及び吸引ボタン２２は、内視鏡１０の洗浄時に操作部１２から取り外される。
【００３０】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、接点部を隠して防水する防水キャップ２７（図３参照）が、コネクタ部２６に装着される。
【００３１】
図２に示す内視鏡洗浄消毒装置（以下、装置と呼ぶ）２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００３２】
装置本体３０の上面手前には、操作パネル３３及び表示パネル３４が配されている。操作パネル３３は、内視鏡１０の洗浄、消毒に関する各種設定や、洗浄及び消毒の開始または停止等を指示するための多数のボタンからなる。表示パネル３４には、例えば液晶ディスプレイ（ＬＣＤ）が用いられ、各種設定画面、各工程の残り時間、トラブル発生時の警告メッセージ等が表示される。
【００３３】
装置本体３０の前面には、開閉自在なボトル収納トレイ３６が設けられている。ボトル収納トレイ３６内には、内視鏡１０の消毒に使用される消毒液として、高濃度の過酢酸を収容した専用の過酢酸供給ボトルが収納されている。
【００３４】
ボトル収納トレイ３６の側方には、同様に開閉自在な薬液トレイ３８が設けられている。薬液トレイ３８内には、洗剤タンク、分解液タンク、アルコールタンクが収納されている。洗剤タンクには、内視鏡１０の洗浄に使用される洗剤が貯えられている。分解液タンクには、消毒液である過酢酸を分解する液体酵素が貯えられている。アルコールタンクには、内視鏡１０の洗浄、消毒後に各チャンネル内に流されるアルコールが貯えられている。
【００３５】
装置本体３０の上面には、洗浄槽３１を開閉するトップカバー４０が設けられている。トップカバー４０は、例えばプラスチックで形成された略矩形の板状体であり、装置本体３０の上面に設けられたヒンジ４１に一辺が軸支されている。トップカバー４０は、内視鏡１０の洗浄、消毒時に閉じられて洗浄槽３１の上部を覆う。トップカバー４０の上面は、透明なのぞき窓となっており、洗浄や消毒の様子を視認することが可能である。詳しくは図示しないが、トップカバー４０には、閉じ位置でロックするためのロック機構が設けられている。
【００３６】
洗浄槽３１内には、内視鏡１０の洗浄、消毒に用いる液体を洗浄槽３１内に供給する供給ポート４３が設けられている。供給ポート４３には、洗浄槽３１内に向けて屈曲された給水ノズル４４、洗剤供給ノズル４５、消毒液供給ノズル４６が設けられている。これらのノズル４４〜４６は、洗浄槽３１内に貯えられる液体の液面よりも高い位置に配置されている。トップカバー４０には、供給ポート４３を収容する突出部４０ａが設けられている。
【００３７】
給水ノズル４４は、洗浄槽３１内に水を供給する。洗剤供給ノズル４５は、洗剤タンク内に貯えられている洗剤を洗浄槽３１内に供給する。消毒液供給ノズル４６は、消毒液タンク内に貯えられている消毒液を洗浄槽３１内に供給する。使用後の内視鏡１０に付着している体液や汚物は、水と洗剤とが混合された洗浄液により洗い流される。洗浄液で洗い流されなかった病原菌やウイルスは、消毒液により除去され、または病原性が消失される。
【００３８】
図３に示すように、洗浄槽３１の内側面３１ａには、内視鏡１０の送気・送水チャンネル１５、鉗子チャンネル１６及び吸引チャンネル１７内の洗浄、消毒に用いられるチャンネル洗浄ポート４８が設けられている。チャンネル洗浄ポート４８には、送気・送水チャンネル用カプラ４９、吸引チャンネル用カプラ５０、鉗子チャンネル用カプラ５１が設けられている。
【００３９】
洗浄槽３１に収容された内視鏡１０は、柔軟性を有するチューブ５３〜５５によって、装着口１２ａ，１２ｂ及び鉗子口２０が各カプラ４９〜５１に接続されている。各カプラ４９〜５１からは、水、洗浄液、消毒液、アルコール、及び圧縮エア等の気体及び液体が、送気・送水チャンネル１５、鉗子チャンネル１６及び吸引チャンネル１７内に供給される。
【００４０】
洗浄槽３１の内側面３１ｂには、内視鏡１０の気密試験に用いられる気密試験ポート５７が設けられている。気密試験ポート５７には、圧縮エアを供給するチューブカプラ５７ａが設けられている。チューブカプラ５７ａには、柔軟性を有するチューブが装着される。チューブは、コネクタ部２６に装着された防水キャップ２７に接続される。また、内側面３１ｃには、通気孔５８が設けられている。
【００４１】
洗浄槽３１の底面３１ｄの中央には、小物洗浄かご６０が取り付けられている。小物洗浄かご６０は、例えば上部が開口された円形のかごであり、内視鏡１０の操作部１２から取り外された送気・送水ボタン２１、吸引ボタン２２、鉗子口キャップ２３等の小物部品が収容される。小物洗浄かご６０の下には、小物洗浄かご６０内に水、洗浄液、消毒液等を噴射するかご用ノズル６２が設けられている。また、底面３１ｄの角部には、廃液口６３が設けられている。廃液口６３は、洗浄槽３１から使用済みの水、洗浄液、消毒液を排出する。
【００４２】
図４は、装置本体３０内の配管系統を示している。洗浄槽３１の下面には、ラバーヒータ６４が取り付けられている。ラバーヒータ６４は、洗浄槽３１を介して、洗浄槽３１内に貯えられた洗浄液または消毒液を加熱する。洗浄槽３１内には、洗浄液または消毒液の温度を計測する温度センサ（ＴＥ）６５と、液面を検出する液面センサ（ＬＳ）６６とが設けられている。液面センサ６６は、例えば液面に応じてフロートが上下動するフロート式レベルセンサが用いられる。
【００４３】
通気孔５８には、洗浄槽３１内に供給された消毒液の臭気を活性炭によって消臭するエアフィルタ（以下、ＡＦと省略する）６７が設けられている。
【００４４】
給水ノズル４４には、水、洗浄液、消毒液が流される給液路６８が接続されている。給液路６８の他端は、電動三方弁６９の一端に接続されている。電動三方弁６９の他端には、給水路７０が接続されている。
【００４５】
給水路７０は、装置本体３０の外部に露呈されて水道水の蛇口に接続されている。給水路７０には、蛇口に接続される側から電磁弁７２、ウォータフィルタ（ＷＦ）７３が設けられている。電磁弁７２は、給水路７０に対する水道水の供給／停止を切り換える。ＷＦ７３は、水道水に含まれる異物や細菌を捕捉する。電動三方弁６９は、洗浄槽３１内に水を供給する際に、給液路６８と給水路７０とを接続する。
【００４６】
洗剤供給ノズル４５には、洗剤供給路７５が接続されている。洗剤供給路７５の他端は、洗剤（例えば、液状酵素洗剤等）７６が貯えられた洗剤タンク７７に接続されている。洗剤供給路７５には、ウォータポンプ（以下、ＷＰと省略する）７８が設けられている。ＷＰ７８は、洗剤タンク７７内の洗剤７６を吸引し、洗剤供給ノズル４５から吐出させる。
【００４７】
消毒液供給ノズル４６には、消毒液供給路８０が接続されている。消毒液供給路８０の他端は、消毒液８１が貯えられた消毒液タンク８２に接続されている。消毒液供給路８０には、消毒液８１を吸引して消毒液供給ノズル４６から吐出させるＷＰ８３が設けられている。
【００４８】
消毒液タンク８２には、使用済みの消毒液８１を排出する排出路８２ａと、通気孔８２ｂとが設けられている。排出路８２ａには、電磁弁８５が設けられている。通気孔８２ｂには、消毒液８１の臭気を活性炭で消臭するＡＦ８６が設けられている。
【００４９】
消毒液８１には、高水準消毒剤である過酢酸が用いられている。過酢酸は、人体への毒性が低い、残留性が低く環境負荷が小さい、タンパク汚れの凝固、蓄積がない、芽胞に対しても効果がある等の優れた特性を有している。また、過酢酸には、非常に強い臭気がある。
【００５０】
消毒液タンク８２には、消毒液タンク８２内に連通された消毒液注入路８８が設けられている。ボトル収納トレイ３６に収納された過酢酸供給ボトル８９は、その注ぎ口８９ａが消毒液注入路８８に接続される。過酢酸供給ボトル８９内に収容された濃縮過酢酸は、消毒液注入路８８を通って消毒液タンク８２内に供給される。
【００５１】
消毒液タンク８２には、分解液供給路９１の一端が接続されている。分解液供給路９１の他端は、分解液９２が貯えられた分解液タンク９３に接続されている。分解液供給路９１には、分解液９２を消毒液タンク８２内に供給する際に開放される電磁弁９４が設けられている。
【００５２】
分解液９２には、過酢酸の分解を促進する分解酵素が用いられている。分解酵素としては、例えばカタラーゼが使用される。過酢酸は、過酸化水素と酢酸の平衡反応により存在している。カタラーゼは、過酢酸に含まれる過酸化水素を水と酸素に分解することにより、二次的に過酢酸を過酸化水素と酢酸に分解する。カタラーゼにより過酢酸を分解することにより、酢酸の臭気は残るものの、作業環境を悪化させる非常に強い臭気は消臭される。
【００５３】
廃液口６３には、下流側で分岐している廃液路９６が接続されている。分岐された一方の第１廃液路９７は、内視鏡１０の洗浄で使用された洗浄液、水をＷＰ９８によって装置本体３０の外に排出する。他方の第２廃液路９９は、内視鏡１０の消毒に使用された消毒液８１を消毒液タンク８２に戻す。消毒液８１は、数回の使用では消毒効果が消失しないので、消毒液タンク８２に戻されて繰り返し使用される。第１廃液路９７及び第２廃液路９９は、各々に設けられた電磁弁１００、１０１の開閉により切り換えられる。
【００５４】
第１廃液路９７には、ＷＰ９８の２次側に電動三方弁１０３が接続されている。電動三方弁１０３と、ＷＦ７３の１次側との間には、給水用消毒路１０４が接続されている。電動三方弁１０３は、内視鏡１０の洗浄に使用された洗浄液、水を装置本体３０の外に排出する際に第１廃液路９７を導通させる。また、電動三方弁１０３は、給水路７０の消毒時に第１廃液路９７と給水用消毒路１０４とを接続し、給水路７０内に消毒液８１を流せるようにする。
【００５５】
第２廃液路９９には、給水路７０から分岐した希釈路１０６が接続されている。希釈路１０６には、電磁弁１０７が設けられている。希釈路１０６は、第２廃液路９９を介して消毒液タンク８２内に水を供給し、過酢酸供給ボトル８９から供給された高濃度の過酢酸を内視鏡１０の消毒に適した濃度まで希釈する。
【００５６】
廃液口６３には、洗浄槽３１に貯えられた洗浄液、消毒液８２、水を循環させる循環路１０９も接続されている。循環路１０９は、下流側で第１循環路１１０と第２循環路１１１とに分岐している。第１循環路１１０には、洗浄槽３１内の液体を吸引するＷＰ１１２が設けられている。第１循環路１１０は、電動三方弁６９に接続されている。電動三方弁６９は、洗浄槽３１に貯えられた液体を循環させる際に、第１循環路１１０と給液路６８とを接続する。
【００５７】
第２循環路１１１には、ＷＰ１１４と、液体及び気体の逆流を防止する逆止弁１１５とが設けられている。第２循環路１１１は、四方コネクタ１１６の一端に接続されている。四方コネクタ１１６の他端には、チャンネル洗浄路１１７が接続されている。チャンネル洗浄路１１７には、電磁弁１１８〜１２１が設けられた送気・送水路１２２〜１２５がそれぞれ接続されている。各送気・送水路１２２〜１２５は、チャンネル洗浄ポート４８の各カプラ４９〜５１と、かご用ノズル６２とに接続されている。
【００５８】
四方コネクタ１１６の別の他端には、送気路１２７が接続されている。送気路１２７には、エアポンプ（以下、ＡＰと省略する）１２８と、２つのＡＦ１２９、１３０と、逆止弁１３１とが設けられている。ＡＰ１２８は、２つのＡＦ１２９、１３０により異物や細菌が捕捉された清浄な空気を圧縮し、この圧縮エアを各チャンネル内に送風する。
【００５９】
四方コネクタ１１６の更に別の他端には、アルコール供給路１３３が接続されている。アルコール供給路１３３の端部は、アルコール１３４が貯えられたアルコールタンク１３５に接続されている。アルコール供給路１３３には、アルコールタンク１３５内に貯えられているアルコール１３４を吸引するＷＰ１３６と、電磁弁１３７とが設けられている。
【００６０】
気密試験ポート５７には、試験送気路１３９が接続されている。試験送気路１３９には、外気から異物を捕捉するＡＦ１４０と、異物が捕捉された清浄な空気を圧縮して試験送気路１３９に送気するＡＰ１４１とが設けられている。
【００６１】
図５に示すように、装置２８は、装置全体を統括的に制御するＣＰＵ１４３と、制御プログラムや各種データが記憶されたＲＯＭ１４４と、ＲＯＭ１４４から読み出された制御プログラムの実行領域であるＲＡＭ１４５とを備えている。ＣＰＵ１４３には、表示パネル３４を駆動するＬＣＤドライバ１４６、各電磁弁を駆動する弁ドライバ１４８、電動三方弁６９、１０３を駆動するモータドライバ１４９等が接続されている。また、各ＷＰを駆動するＷＰドライバ１５０、各ＡＰを駆動するＡＰドライバ１５１、ラバーヒータ６４を駆動するヒータドライバ１５２等もＣＰＵ１４３に接続されている。
【００６２】
装置２８は、内視鏡１０を洗浄、消毒する洗浄消毒モード、消毒効果が消失した消毒液を排出する消毒液排出モード、給水路７０のＷＦ７３の交換後に行われる給水路消毒モード等、複数の動作モードを備えている。各モードは、操作パネル３３の操作により選択される。
【００６３】
図６に示すように、洗浄消毒モードは、洗浄工程、すすぎ工程、消毒工程、すすぎ工程、乾燥工程から構成されている。以下、洗浄消毒モードの各工程について、簡単に説明する。
【００６４】
洗浄工程では、水と洗剤７６とが混合された洗浄液を洗浄槽３１と各供給路内で循環させ、洗浄槽３１内に収容された内視鏡１０の外表面及び各チャンネル内を洗浄する。消毒工程では、洗浄槽３１内に貯えられた消毒液８１中に内視鏡１０を浸漬させ、各チャンネル内で消毒液８１を循環させて、内視鏡１０の外表面及び各チャンネル内を消毒する。すすぎ工程では、内視鏡１０に付着した洗浄液や消毒液８１が水によって除去される。乾燥工程では、内視鏡１０の各チャンネル内に圧縮エアとアルコールとが流され、各チャンネル内に付着した水滴が除去される。
【００６５】
次に、消毒液排出モードについて説明する。図７に示すように、ＣＰＵ１４３は、電磁弁９４を開き、分解液９２を消毒液タンク８２に流し込む。過酢酸である消毒液８１は、分解酵素である分解液９２により過酸化水素と酢酸とに分解される。分解液９２により消毒液８１が分解される所定時間の待機後、ＣＰＵ１４３は、排出路８２ａの電磁弁８５を開放し、消毒液８１を装置本体３０の外に排出する。分解された消毒液８１は、排出路８２ａの下流側で水により希釈され、ｐＨ値が５程度まで中和される。
【００６６】
消毒液タンク８２から排出される消毒液８１は、分解液９２により分解されて過酢酸ではなくなっている。そのため、作業環境が悪化するような臭気は発生しない。また、消毒液８１をそのまま排出する場合に比べ、環境負荷も小さくなる。
【００６７】
上記実施形態では、消毒液タンク８２から排出される消毒液８１を分解液９２で分解したが、過酢酸供給ボトル８９内に残った濃縮過酢酸を分解液９２で分解してもよい。以下、過酢酸供給ボトル８９内の濃縮過酢酸を分解する実施形態について説明する。
【００６８】
図８に示すように、消毒液注入路８８の近傍に分解液供給ノズル１５５を配置している。分解液供給ノズル１５５は、ボトル収納トレイ３６にセットされた過酢酸供給ボトル８９が消毒液注入路８８に接続される際に、注ぎ口８９ａから過酢酸供給ボトル８９内に挿入される。分解液タンク９３と分解液供給ノズル１５５とを接続する分解液供給路９１には、ＷＰ１５６が設けられている。
【００６９】
消毒液タンク８２内には、過酢酸供給ボトル８９から供給された濃縮過酢酸１５８の量を検出する液体センサ１５９が設けられている。液体センサ１５７の検出信号は、ＣＰＵ１４３に入力される。
【００７０】
図９に示すように、ＣＰＵ１４３は、液体センサ１５７によって過酢酸供給ボトル８９内の濃縮過酢酸１５８が全て消毒液タンク８２内に供給されたことを検知し、ＷＰ１５６を駆動させる。分解液タンク９３内の分解液９２は、分解液供給路９１、分解液供給ノズル１５５を流れて過酢酸供給ボトル８９内に供給される。
【００７１】
これにより、過酢酸供給ボトル８９内にわずかに残っている濃縮過酢酸１５８が分解されるので、装置本体３０の外に漏れる臭気を少なくすることができる。また、従来は、過酢酸供給ボトル８９をボトル収納トレイ３６から取り外すときにボトル内が外気に曝されるので、最も臭気が強くなっていた。しかし、過酢酸供給ボトル８９内の濃縮過酢酸１５８は、予め分解されているので、過酢酸供給ボトル８９を取り外すときに濃縮過酢酸の臭気で作業環境が悪化することはない。
【００７２】
また、給水路７０の消毒後に、給水路７０内に残った消毒液８１の臭気を消臭してもよい。以下、給水路７０内を消臭する実施形態について説明する。
【００７３】
図１０に示すように、給水路７０のＷＦ７３の１次側に、分解液供給路９１の一端を接続している。図１１に示すように、ＣＰＵ１４３は、給水路消毒モードの開始とともにＷＰ８３を駆動させ、所定量の消毒液８１を洗浄槽３１内に供給する。消毒液８１の供給後、ＣＰＵ１４３は、電磁弁１００を開き、電動三方弁１０３により第１廃液路９７と給水用消毒路１０４とを接続する。また、電動三方弁６９により給液路６８と給水路７０とを接続し、ＷＰ９８を駆動させる。
【００７４】
廃液口６３から排出された消毒液８１は、廃液路９６、第１廃液路９７、給水用消毒路１０４、給水路７０、給液路６８、洗浄槽３１を通って循環し、給水路７０を消毒する。給水路消毒工程の終了後、消毒液８１は消毒液タンク８２に戻される。
【００７５】
給水路７０の消毒完了後、ＣＰＵ１４３は、電磁弁９４を開き、給水路７０内に分解液９２を供給する。次いで、電磁弁７２を開き、分解液９２が混合された水を給水路７０、給液路６８、洗浄槽３１、廃液路９６、第１廃液路９７、給水用消毒路１０４内で循環させ、給水路７０内に残った消毒液８１の臭気を消臭する。給水路消臭工程で使用された水は、電動三方弁１０３によって第１廃液路９７が導通されることにより、装置本体３０の外に排出される。これにより、給水路７０に残っていた消毒液８１が分解液９２により分解されるので、給水路７０から漏れる臭気を少なくすることができる。
【００７６】
上記各実施形態では、装置２８の各部に残る消毒液８１を分解して消臭しているが、空気中に存在する消毒液８１の臭気成分を分解して消臭してもよい。以下、空気中の臭気成分を分解する実施形態について説明する。
【００７７】
図１２に示すように、洗浄槽３１内の供給ポート４３に噴霧ノズル１６２を設けている。噴霧ノズル１６２には、ミスト発生器１６３が接続されている。ミスト発生器１６３には、分解液供給路９１によって分解液タンク９３が接続されている。洗浄槽３１の通気孔５８には、洗浄槽３１内の空気を排気する排気ファン１６４が設けられている。排気ファン１６４により洗浄槽３１内が負圧になるので、通気孔５８以外からの臭気の漏れが防止される。
【００７８】
ミスト発生器１６３は、分解液タンク９３から吸引した分解液９２を霧状にして噴霧ノズル１６２から噴射する。洗浄槽３１内に噴射された分解液９２は、排気ファン１６４によって装置本体３０の外にも拡散される。これにより、洗浄槽３１内の臭気と、装置本体３０から漏れた臭気を効果的に消臭することができる。
【００７９】
霧状の分解液９２の噴射は、ユーザによる任意のタイミングで行うことが好ましい。これにより、作業環境の臭気が気になるときに、簡単に消臭することができる。また、内視鏡１０の消毒後等、臭気が漏れやすいタイミングで分解液９２を噴射させてもよい。
【００８０】
図１３に示すように、装置本体３０を構成する筐体１６６内に分解液タンク９３、ミスト発生器１６３、噴霧ノズル１６２を配置し、筐体１６６内に霧状の分解液９２を噴霧してもよい。また、筐体１６６の通気孔１６７に排気ファン１６８を取り付けて筐体１６６内を負圧にし、かつ筐体１６６の外に霧状の分解液９２を拡散している。これによれば、筐体１６６内の臭気と、装置本体３０から漏れた臭気を効果的に消臭することができる。
【００８１】
図１４に示すように、筐体１６６に設けられた噴霧ノズル１７０から、装置本体３０の外に霧状の分解液９２を噴霧してもよい。この場合、筐体１６６の通気孔１６７に吸気ファン１７１を取り付けて筐体１６６内を陽圧にし、筐体１６６内の臭気を積極的に放散する。これによれば、装置本体３０の外側で臭気を消臭することができる。なお、筐体１６６から漏れる臭気の量が、霧状の分解液９２で消臭可能なレベルを超えている場合には、吸気ファン１７１を省略してもよい。
【００８２】
筐体１６６内、または筐体１６６外に対する分解液９２の噴射は、消毒液交換時、内視鏡１０の消毒時、トップカバー４０の開放時等、臭気が漏れやすいタイミングで行うことが好ましい。また、微量の分解液９２を常時噴出させてもよいし、タイマにより定期的に噴出してもよい。ユーザによる任意のタイミングで噴射してもよい。
【００８３】
上記各実施形態では、分解液としてカタラーゼを用いているが、ペルオキシダーゼ等の他の分解酵素を用いてもよい。また、洗剤７６にアルカリ系洗剤を用いている場合には、これを分解液として用いてもよい。アルカリ系洗剤により過酢酸が中和され、安定性が下がるので、過酢酸の分解を促進することができる。また、過酢酸の分解により生じる酢酸もアルカリ系洗剤で中和することができる。
【００８４】
分解液タンク９３から分解液９２を供給する各実施形態については、適宜組み合わせることが可能である。この場合、１つの分解液タンク９３に接続された分解液供給路９１の経路を切り換えることにより、消毒液タンク８２、過酢酸供給ボトル８９、給水路７０、洗浄槽３１内、及び筐体１６６の内外等に分解液９２を供給するのが好ましい。
【００８５】
また、消毒液タンク８２から消毒効果の薄れた消毒液８１を排出する際に、消毒液８１をいったん洗浄槽３１内に供給し、洗浄槽３１及び廃液路９６内を消毒してから排出する内視鏡洗浄消毒装置がある。このような内視鏡洗浄消毒装置に本発明を適用する場合には、消毒液８１の排出後に分解液９２を洗浄槽３１内に供給してもよい。
【図面の簡単な説明】
【００８６】
【図１】内視鏡の構成例を示す平面図である。
【図２】本発明の内視鏡洗浄消毒装置の外観形状を示す斜視図である。
【図３】洗浄槽の構成を示す平面図である。
【図４】装置本体内の概略的な配管系統を示す配管図である。
【図５】内視鏡洗浄消毒装置の電気的構成の一部を示すブロック図である。
【図６】洗浄消毒モードの工程順序を示すフローチャートである。
【図７】消毒液排出モードの工程順序を示すフローチャートである。
【図８】過酢酸供給ボトル内に分解液を供給する配管系統を示す配管図である。
【図９】過酢酸供給ボトルに分解液を供給する手順を示すフローチャートである。
【図１０】給水路に分解液を供給する配管系統を示す配管図である。
【図１１】給水路消毒モードの工程順序を示すフローチャートである。
【図１２】洗浄槽内に霧状の分解液を噴出する配管系統を示す配管図である。
【図１３】装置本体内に霧状の分解液を噴出する例を示す断面図である。
【図１４】装置本体外に霧状の分解液を噴出する例を示す断面図である。
【符号の説明】
【００８７】
１０  内視鏡
２８  内視鏡洗浄消毒装置
３０  装置本体
３１  洗浄槽
７０  給水路
８１  消毒液
８２  消毒液タンク
８９  過酢酸供給ボトル
８８  消毒液注入路
９１  分解液供給路
９２  分解液
９３  分解液タンク
１０４  給水用消毒路
１４３  ＣＰＵ
１６３  ミスト発生器
【図１】
2009207740.tif 000003
【図２】
2009207740.tif 000004
【図３】
2009207740.tif 000005
【図４】
2009207740.tif 000006
【図５】
2009207740.tif 000007
【図６】
2009207740.tif 000008
【図７】
2009207740.tif 000009
【図８】
2009207740.tif 000010
【図９】
2009207740.tif 000011
【図１０】
2009207740.tif 000012
【図１１】
2009207740.tif 000013
【図１２】
2009207740.tif 000014
【図１３】
2009207740.tif 000015
【図１４】
2009207740.tif 000016